(57)【要約】【課題】小型化することが可能であり、且つ、コンタクトに十分な長さを有する誘い部を設けることが可能なコネクタを提供すること。【解決手段】コネクタは、対象物に取り付け可能である。また、コネクタは、後方に向かって挿入されたカードと接続可能である。コネクタは、対象物の上面と同じ位置にある所定部位を有している。コネクタは、ハウジングと、コンタクトとを備えている。コンタクトは、被保持部と、バネ部とを有している。被保持部は、ハウジングに保持されている。バネ部は、接点部と、誘い部とを有している。接点部は、被保持部の前方に位置している。誘い部は、接点部の前方に位置している。カードがコネクタに挿入されたとき、接点部は、カードと接触し、誘い部は、コネクタのいずれの部位とも接触することなく所定部位の下方に移動する。【選択図】図２
2015076130.tif 000002
【特許請求の範囲】
【請求項１】
上下方向における上面を有する対象物に取り付け可能であり、且つ、前記上下方向と直交する前後方向に沿って後方に向かって挿入されたカードと接続可能なコネクタであって、
前記コネクタは、前記コネクタが前記対象物に取り付けられたとき前記上下方向において前記上面と同じ位置にある所定部位を有しており、
前記コネクタは、ハウジングと、コンタクトとを備えており、
前記コンタクトは、被保持部と、バネ部とを有しており、
前記被保持部は、前記ハウジングに保持されており、
前記バネ部は、接点部と、誘い部とを有しており、
前記接点部は、前記前後方向において前記被保持部の前方に位置しており、
前記誘い部は、前記前後方向において前記接点部の前方に位置しており、且つ、下方に傾斜しつつ前方に延びており、
前記接点部及び前記誘い部は、前記上下方向に移動可能であり、
前記カードが前記コネクタに挿入されたとき、前記接点部は、前記カードと接触し、前記誘い部は、前記コネクタのいずれの部位とも接触することなく下方に移動し、前記誘い部の少なくとも一部は、前記上下方向において前記所定部位の下方に位置する
コネクタ。
【請求項２】
請求項１記載のコネクタであって、
前記コンタクトは、前記被保持部のみによって前記ハウジングに保持されており、
前記バネ部は、曲げ部を有しており、
前記曲げ部の少なくとも一部は、前記前後方向において前記被保持部と前記接点部との間に位置しており、
前記曲げ部は、前方に向かって延びた後、上方に傾斜しつつ前方に延びている
コネクタ。
【請求項３】
請求項１又は請求項２記載のコネクタであって、
前記バネ部は、梁部を有しており、
前記誘い部は、梁支持部を有しており、
前記梁部は、前記梁支持部に片持ち梁状に支持されて、前記梁支持部から後方に延びており、
前記接点部は、前記梁部に設けられている
コネクタ。
【請求項４】
請求項３記載のコネクタであって、
前記誘い部は、２つの外側部を有しており、
前記外側部は、前記上下方向及び前記前後方向の双方と直交する幅方向における前記誘い部の両側に夫々位置しており、
前記梁支持部は、前記外側部を前記幅方向に連結している
コネクタ。
【請求項５】
請求項１乃至請求項４のいずれかに記載のコネクタであって、
前記バネ部は、くびれ部を有しており、
前記上下方向及び前記前後方向の双方と直交する幅方向における前記バネ部のサイズは、前記くびれ部の前方及び後方の夫々から前記くびれ部に近づくにつれて小さくなる
コネクタ。
【請求項６】
請求項１乃至請求項５のいずれかに記載のコネクタであって、
前記コネクタは、保護部を備えており、
前記保護部は、前記誘い部の前方に位置している
コネクタ。
【請求項７】
請求項６記載のコネクタであって、
前記カードが前記コネクタに挿入されていないとき、前記保護部の一部は、前記前後方向において前記誘い部の前端の前方に位置しており、且つ、前記上下方向において前記誘い部の前記前端と同じ位置に位置している
コネクタ。
【請求項８】
請求項６又は請求項７記載のコネクタであって、
前記保護部は、前記ハウジングの一部である
コネクタ。
【請求項９】
請求項８記載のコネクタであって、
前記保護部は、補強部材によって補強されている
コネクタ。
【請求項１０】
請求項６又は請求項７記載のコネクタであって、
前記保護部は、前記コンタクトの一部である
コネクタ。
【請求項１１】
請求項１乃至請求項１０のいずれかに記載のコネクタであって、
前記コネクタは、複数の前記コンタクトを備えており、
前記コンタクトは、前記前後方向及び前記上下方向の双方と直交する幅方向に並んでコンタクト列を構成しており、
前記コンタクト列の前記幅方向における端に位置する前記コンタクトの前記誘い部は、前記誘い部の前記幅方向の中心に対して非対称な形状を有している
コネクタ。
【請求項１２】
請求項１乃至請求項１１のいずれかに記載のコネクタであって、
前記コネクタは、プッシュプッシュ機構を備えており、
前記プッシュプッシュ機構は、前記カードが前記コネクタに挿入されて収容されているとき、前記カードを後方に向けて一時的に押圧することにより前記カードを排出する
コネクタ。
【請求項１３】
請求項１乃至請求項１２のいずれかに記載のコネクタであって、
前記コネクタが前記対象物に取り付けられた状態において前記カードが前記コネクタに挿入されたとき、前記誘い部は、前記対象物のいずれの部位とも接触することなく下方に移動し、前記誘い部の少なくとも一部は、前記上下方向において前記対象物の前記上面の下方に位置する
コネクタ。
【請求項１４】
請求項１乃至請求項１３のいずれかに記載のコネクタであって、
前記対象物には、切欠きが形成されており、
前記コネクタが前記対象物に取り付けられた状態において前記カードが前記コネクタに挿入されたとき、前記誘い部の一部は、前記切欠きの外部から内部に移動する
コネクタ。
【発明の詳細な説明】
【技術分野】
【０００１】
本発明は、SIM（Subscriber Identity Module）カードのようなカードと接続するコネクタに関する。
【背景技術】
【０００２】
例えば、特許文献１には、このタイプのカードコネクタが開示されている。
【０００３】
図２３に示されるように、特許文献１のカードコネクタは、収容部と、複数のコンタクトとを備えている。収容部は、挿入方向に沿ってカードコネクタに挿入されたカードを収容する。コンタクトは、収容部内に配置されている。コンタクトの夫々は、第１支点部と第１板バネ片部と第２支点部と第２板バネ片部とを有している。第１支点部は、収容部の底面に常に接触している。第１板バネ片部は、第１支点部から挿入方向の逆方向である排出方向に延びている。第２支点部は、第１板バネ片部の先端に位置している。第２支点部は、第１板バネ片部が第１支点部を支点として下方に撓んだ際に収容部の底面に接触する。第２板バネ片部は、第２支点部からカードの挿入方向に延びている。第２板バネ片部の先端は、カードの電極に接触する接点部として機能する。
【先行技術文献】
【特許文献】
【０００４】
【特許文献１】特許４３８５０４７号明細書
【発明の概要】
【発明が解決しようとする課題】
【０００５】
特許文献１のようなカードコネクタのコンタクトには、カードと突き当たった際の座屈を防止するために、誘い部を設ける必要がある。誘い部は、接点部の前方に位置している必要がある。例えば、特許文献１の第２板バネ片部は、誘い部として機能する。誘い部は、挿入方向に対して傾斜しつつ長く延びていることが好ましい。一方、micro SIMカードやnano SIMカードと接続するコネクタには、カードのサイズに応じた小型化が求められる。また、カードのサイズが小さくなるにつれ、カードの電極の位置は、カードの端部に近づく。このため、コネクタを小型化するためには、コンタクトの接点部を挿入口に近づける必要がある。接点部が挿入口に近づくと、誘い部を十分に長く延ばすことが難しい。即ち、コネクタを小型化する場合、十分な長さを有する誘い部を設けることが難しい。
【０００６】
そこで、本発明は、小型化することが可能であり、且つ、コンタクトに十分な長さを有する誘い部を設けることが可能なコネクタを提供することを目的とする。
【課題を解決するための手段】
【０００７】
本発明は、第１のコネクタとして、
上下方向における上面を有する対象物に取り付け可能であり、且つ、前記上下方向と直交する前後方向に沿って後方に向かって挿入されたカードと接続可能なコネクタであって、
前記コネクタは、前記コネクタが前記対象物に取り付けられたとき前記上下方向において前記上面と同じ位置にある所定部位を有しており、
前記コネクタは、ハウジングと、コンタクトとを備えており、
前記コンタクトは、被保持部と、バネ部とを有しており、
前記被保持部は、前記ハウジングに保持されており、
前記バネ部は、接点部と、誘い部とを有しており、
前記接点部は、前記前後方向において前記被保持部の前方に位置しており、
前記誘い部は、前記前後方向において前記接点部の前方に位置しており、且つ、下方に傾斜しつつ前方に延びており、
前記接点部及び前記誘い部は、前記上下方向に移動可能であり、
前記カードが前記コネクタに挿入されたとき、前記接点部は、前記カードと接触し、前記誘い部は、前記コネクタのいずれの部位とも接触することなく下方に移動し、前記誘い部の少なくとも一部は、前記上下方向において前記所定部位の下方に位置する
コネクタを提供する。
【０００８】
また、本発明は、第２のコネクタとして、第１のコネクタであって、
前記コンタクトは、前記被保持部のみによって前記ハウジングに保持されており、
前記バネ部は、曲げ部を有しており、
前記曲げ部の少なくとも一部は、前記前後方向において前記被保持部と前記接点部との間に位置しており、
前記曲げ部は、前方に向かって延びた後、上方に傾斜しつつ前方に延びている
コネクタを提供する。
【０００９】
また、本発明は、第３のコネクタとして、第１又は第２のコネクタであって、
前記バネ部は、梁部を有しており、
前記誘い部は、梁支持部を有しており、
前記梁部は、前記梁支持部に片持ち梁状に支持されて、前記梁支持部から後方に延びており、
前記接点部は、前記梁部に設けられている
コネクタを提供する。
【００１０】
また、本発明は、第４のコネクタとして、第３のコネクタであって、
前記誘い部は、２つの外側部を有しており、
前記外側部は、前記上下方向及び前記前後方向の双方と直交する幅方向における前記誘い部の両側に夫々位置しており、
前記梁支持部は、前記外側部を前記幅方向に連結している
コネクタを提供する。
【００１１】
また、本発明は、第５のコネクタとして、第１乃至第４のコネクタのいずれかであって、
前記バネ部は、くびれ部を有しており、
前記上下方向及び前記前後方向の双方と直交する幅方向における前記バネ部のサイズは、前記くびれ部の前方及び後方の夫々から前記くびれ部に近づくにつれて小さくなる
コネクタを提供する。
【００１２】
また、本発明は、第６のコネクタとして、第１乃至第５のコネクタのいずれかであって、
前記コネクタは、保護部を備えており、
前記保護部は、前記誘い部の前方に位置している
コネクタを提供する。
【００１３】
また、本発明は、第７のコネクタとして、第６のコネクタであって、
前記カードが前記コネクタに挿入されていないとき、前記保護部の一部は、前記前後方向において前記誘い部の前端の前方に位置しており、且つ、前記上下方向において前記誘い部の前記前端と同じ位置に位置している
コネクタを提供する。
【００１４】
また、本発明は、第８のコネクタとして、第６又は第７のコネクタであって、
前記保護部は、前記ハウジングの一部である
コネクタを提供する。
【００１５】
また、本発明は、第９のコネクタとして、第８のコネクタであって、
前記保護部は、補強部材によって補強されている
コネクタを提供する。
【００１６】
また、本発明は、第１０のコネクタとして、第６又は第７のコネクタであって、
前記保護部は、前記コンタクトの一部である
コネクタを提供する。
【００１７】
また、本発明は、第１１のコネクタとして、第１乃至第１０のコネクタのいずれかであって、
前記コネクタは、複数の前記コンタクトを備えており、
前記コンタクトは、前記前後方向及び前記上下方向の双方と直交する幅方向に並んでコンタクト列を構成しており、
前記コンタクト列の前記幅方向における端に位置する前記コンタクトの前記誘い部は、前記誘い部の前記幅方向の中心に対して非対称な形状を有している
コネクタを提供する。
【００１８】
また、本発明は、第１２のコネクタとして、第１乃至第１１のコネクタのいずれかであって、
前記コネクタは、プッシュプッシュ機構を備えており、
前記プッシュプッシュ機構は、前記カードが前記コネクタに挿入されて収容されているとき、前記カードを後方に向けて一時的に押圧することにより前記カードを排出する
コネクタを提供する。
【００１９】
また、本発明は、第１３のコネクタとして、第１乃至第１２のコネクタのいずれかであって、
前記コネクタが前記対象物に取り付けられた状態において前記カードが前記コネクタに挿入されたとき、前記誘い部は、前記対象物のいずれの部位とも接触することなく下方に移動し、前記誘い部の少なくとも一部は、前記上下方向において前記対象物の前記上面の下方に位置する
コネクタを提供する。
【００２０】
また、本発明は、第１４のコネクタとして、第１乃至第１３のコネクタのいずれかであって、
前記対象物には、切欠きが形成されており、
前記コネクタが前記対象物に取り付けられた状態において前記カードが前記コネクタに挿入されたとき、前記誘い部の一部は、前記切欠きの外部から内部に移動する
コネクタを提供する。
【００２１】
また、本発明は、第１５のコネクタとして、
前後方向に沿って後方に向かって挿入されたカードと接続可能なコネクタであって、
前記コネクタは、ハウジングと、コンタクトとを備えており、
前記コンタクトは、被保持部と、バネ部とを有しており、
前記被保持部は、前記ハウジングに保持されており、
前記バネ部は、前記前後方向と直交する上下方向に弾性変形可能であり、
前記バネ部は、くびれ部を有しており、
前記前後方向及び前記上下方向の双方と直交する幅方向における前記コンタクトのサイズは、前記くびれ部の前方及び後方の夫々から前記くびれ部に近づくにつれて小さくなる
コネクタを提供する。
【発明の効果】
【００２２】
本発明によれば、コネクタが対象物に取り付けられたとき、コネクタの所定部位は、対象物の上面と同じ位置にある。また、カードがコネクタに挿入されたとき、コンタクトの誘い部は、コネクタのいずれの部位とも接触することなく所定部位の下方に移動する。本発明によるコネクタはこのように構成されているため、対象物に取り付けられたコネクタにカードが挿入されたとき、コンタクトの誘い部は、対象物のいずれの部位とも接触することなく、対象物の上面よりも下方に移動することができる。このため、コネクタを小型化しつつ、コンタクトに、十分な長さを有する誘い部を設けることができる。
【図面の簡単な説明】
【００２３】
【図１】本発明の実施の形態によるコネクタを示す斜視図である。ここで、コネクタは、回路基板に搭載されている。
【図２】図１のコネクタを、コネクタのカバーを外した状態で示す斜視図である。
【図３】図１のコネクタを示す上面図である。
【図４】図３のコネクタをＩＶ−ＩＶ線に沿って示す断面図である。ここで、挿入前のカードの端部の輪郭を破線で描画している。また、コネクタの第１コンタクト（コンタクト）のバネ部の近傍（破線で囲んだ部分）を拡大して描画している。更に、拡大図において、カード挿入中のコンタクトの輪郭を破線で描画している。
【図５】図４のコネクタを、カード挿入中の状態において示す断面図である。ここで、挿入中のカードの端部の輪郭を破線で描画している。また、コネクタのコンタクトのバネ部の近傍（破線で囲んだ部分）を拡大して描画している。更に、拡大図において、カードを挿入していないときのコンタクトの輪郭を破線で描画している。
【図６】図１の回路基板を示す上面図である。
【図７】図１のコネクタに挿入されるnano SIMカードと、このnano SIMカードよりも大きなmicro SIMカードとを示す下面図である。
【図８】図２のコネクタを示す上面図である。ここで、回路基板は描画していない。また、傾いた状態で挿入開始したときのカードの端部の輪郭を破線で描画している。更に、挿入中のカードの端部の輪郭を１点鎖線で描画している。更に、コネクタの収容部に収容されたカードの輪郭を２点鎖線で描画している。
【図９】図１のコネクタのコンタクトを示す斜視図である。
【図１０】図９のコンタクトを示す正面図である。
【図１１】図９のコンタクトを示す上面図である。
【図１２】図９のコンタクトを示す側面図である。
【図１３】図１のコネクタの変形例を示す正面図である。ここで、回路基板は描画していない。また、コンタクト列の一端に位置するコンタクトの近傍（破線で囲んだ部分）を拡大して描画している。
【図１４】図１３のコネクタを示す底面図である。
【図１５】図９のコンタクトの変形例を示す斜視図である。
【図１６】図１５のコンタクトを示す正面図である。
【図１７】図１５のコンタクトを示す上面図である。
【図１８】図１５のコンタクトを示す側面図である。
【図１９】図９のコンタクトの他の変形例を示す斜視図である。
【図２０】図１９のコンタクトを示す正面図である。
【図２１】図１９のコンタクトを示す上面図である。
【図２２】図１９のコンタクトを示す側面図である。
【図２３】特許文献１のカードコネクタを、カードコネクタの上ケースを外した状態で示す斜視図である。
【発明を実施するための形態】
【００２４】
図１乃至図３に示されるように、本発明の実施の形態によるコネクタ１０は、対象物（回路基板）７００に取り付け可能な基板コネクタである。本実施の形態による対象物は、回路基板７００である。但し、本発明は、回路基板以外の対象物に取り付けられるコネクタにも適用可能である。
【００２５】
図６に示されるように、本実施の形態による回路基板７００は、上下方向（Ｚ方向）における上面７０２と、前後方向（Ｘ方向）における前端７０４とを有している。上面７０２には、様々な大きさを有する複数の接続パッド（固定部）７２０が設けられている。固定部７２０は、回路基板７００の導電パターン（図示せず）と電気的に接続されている。また、回路基板７００には、切欠き７１０が形成されている。切欠き７１０は、前端７０４から後方に向かって（−Ｘ方向に）凹んでいる。
【００２６】
図４及び図５から理解されるように、コネクタ１０は、前後方向に沿って後方に向かって挿入されたカード８００と接続可能である。本実施の形態によるカード８００は、nano SIMカードである（図７参照）。但し、本発明は、nano SIMカード以外のカードと接続するコネクタにも適用可能である。更に、本発明は、カードアダプタ等のカード保持部材に保持されたカードと接続するコネクタにも適用可能である。
【００２７】
図７に示されるように、本実施の形態によるカード８００は、Ｚ方向における上面８０２及び下面８０４を有している。下面８０４には、幅方向（Ｙ方向）に並んだ３つの第１電極８１０と、Ｙ方向に並んだ３つの第２電極８２０とが設けられている。第１電極８１０は、下面８０４の＋Ｘ側に位置しており、第２電極８２０は、下面８０４の−Ｘ側に位置している。
【００２８】
一方、カード８００Ｘ（micro SIMカード）は、カード８００と同様に構成されているが、カード８００よりも大きい。詳しくは、カード８００Ｘは、Ｚ方向における下面８０４Ｘを有している。下面８０４Ｘには、Ｙ方向に並んだ４つの第１電極８１０Ｘと、Ｙ方向に並んだ４つの第２電極８２０Ｘとが設けられている。第１電極８１０Ｘは、下面８０４の＋Ｘ側に位置しており、第２電極８２０Ｘは、下面８０４の−Ｘ側に位置している。
【００２９】
カード８００の＋Ｘ側の端から第１電極８１０までの距離（Ｄ０）は、カード８００Ｘの＋Ｘ側の端から第１電極８１０Ｘまでの距離（Ｄ１）よりも小さい。以下に説明するように、本発明によるコネクタ１０（図４参照）は、このような小さな距離（Ｄ０）を有するカード８００との接続に適している。但し、本発明は、例えばカード８００Ｘと接続するコネクタに適用することもできる。
【００３０】
図１乃至図３に示されるように、本実施の形態によるコネクタ１０は、絶縁体からなるハウジング２００と、導電体からなる３つの（即ち、複数の）第１コンタクト（コンタクト）３００と、導電体からなる３つの（即ち、複数の）第２コンタクト４００と、導電体からなるカバー５００と、導電体からなる２つの側板５５０と、スライダ６１０と、コイルバネ６２０と、カムピン６３０と、導電体からなる検知スイッチ６５０と、金属製の補強部材６８０とを備えている。
【００３１】
図２に示されるように、側板５５０は、ハウジング２００のＹ方向における両側部に夫々位置している。図１に示されるように、カバー５００は、コネクタ１０の内部に収容部１２を形成するようにして、ハウジング２００及び側板５５０に取り付けられている。収容部１２は、コネクタ１０の前端（＋Ｘ側の端）側に開口している。
【００３２】
図２及び図８から理解されるように、検知スイッチ６５０は、ハウジング２００の後端部（−Ｘ側の端部）に位置している。本実施の形態による検知スイッチ６５０は、ノーマルクローズ型のスイッチであり、カード８００が収容部１２に収容されるとオン状態になる。但し、検知スイッチ６５０は、ノーマルオープン型のスイッチであってもよい。更に、コネクタ１０は、検知スイッチ６５０を備えていなくてもよい。
【００３３】
図１に示されるように、カバー５００は、複数のホールドダウン５１０を有している。ホールドダウン５１０の夫々は、所定部位（下端）５１２を有している。コネクタ１０が回路基板７００に取り付けられたとき、下端５１２は、回路基板７００の固定部７２０に例えば半田付けによって固定される。これにより、ホールドダウン５１０の下端５１２は、Ｚ方向において回路基板７００の上面７０２と同じ位置に位置する。
【００３４】
図２に示されるように、ハウジング２００は、Ｙ方向に並んだ３つの第１保持部２１０と、Ｙ方向に並んだ３つの第２保持部２２０と、所定部位（下端）２４０とを有している。第１保持部２１０は、第２保持部２２０の前方に位置している。第１保持部２１０の夫々は、所定部位（下端）２１２を有している（図４参照）。コネクタ１０が回路基板７００に取り付けられたとき、下端２４０及び下端２１２は、Ｚ方向において回路基板７００の上面７０２と同じ位置にある。第１保持部２１０は、コンタクト３００を夫々保持しており、第２保持部２２０は、第２コンタクト４００を夫々保持している。
【００３５】
図２及び図９に示されるように、コンタクト３００の夫々は、被固定部３１０と、被保持部３２０と、バネ部３３０とを有している。バネ部３３０には、接点部３８０が設けられている。被保持部３２０は、第１保持部２１０に夫々保持されている。即ち、コンタクト３００は、Ｙ方向に並んでコンタクト列を構成している。
【００３６】
図２から理解されるように、本実施の形態によれば、コンタクト３００の被保持部３２０は、インサート成型によりハウジング２００の第１保持部２１０に埋め込まれている。但し、被保持部３２０がハウジング２００に保持されている限り、コンタクト３００は、インサート成型されていなくてもよい。例えば、被保持部３２０は、第１保持部２１０に圧入されていてもよい。
【００３７】
図２及び図９に示されるように、被固定部３１０は、被保持部３２０から後方に延びている。コネクタ１０が回路基板７００に取り付けられたとき、被固定部３１０は、回路基板７００の固定部７２０に、例えば半田付けによって固定される。バネ部３３０は、被保持部３２０から前方に（＋Ｘ方向に）延びている。即ち、接点部３８０は、Ｘ方向において被保持部３２０の前方に位置している。バネ部３３０は、被保持部３２０によって片持ち梁状に支持されている。バネ部３３０は、Ｚ方向に弾性変形可能であり、これにより接点部３８０は、Ｚ方向に移動可能である。
【００３８】
図２に示されるように、第２コンタクト４００は、コンタクト３００と異なる形状を有しているが、コンタクト３００と同様の基本構造を有している。詳しくは、第２コンタクト４００の夫々は、被固定部４１０と、被保持部４２０と、バネ部４３０とを有している。バネ部４３０には、接点部４８０が設けられている。被保持部４２０は、第２保持部２２０に夫々保持されている。即ち、第２コンタクト４００は、Ｙ方向に並んでいる。被固定部４１０は、被保持部４２０から前方に延びている。コネクタ１０が回路基板７００に取り付けられたとき、被固定部４１０は、回路基板７００の固定部７２０に、例えば半田付けによって固定される。バネ部４３０は、被保持部４２０から後方に延びている。バネ部４３０は、Ｚ方向に弾性変形可能に支持されており、これにより接点部４８０は、Ｚ方向に移動可能である。
【００３９】
図２及び図８に示されるように、本実施の形態によるコネクタ１０は、プッシュプッシュ機構６００を備えている。本実施の形態によるプッシュプッシュ機構６００は、主として、スライダ６１０と、カム溝６１２と、コイルバネ６２０と、カムピン６３０とから構成されている。スライダ６１０は、Ｘ方向にスライド可能となるようにハウジング２００に支持されている。カム溝６１２は、スライダ６１０に形成されている。コイルバネ６２０の後端部は、側板５５０に支持されており、コイルバネ６２０の前端部（＋Ｘ側の端部）は、スライダ６１０を前方に押圧している。カムピン６３０の後端部は、カム溝６１２内に受容されている。カムピン６３０の前端部は、カムピン６３０の後端部がカム溝６１２内を移動可能となるように、ハウジング２００に支持されている。
【００４０】
図８から理解されるように、カード８００は、コイルバネ６２０の押圧に抗ってスライダ６１０を後方にスライドさせつつ、コネクタ１０の収容部１２に挿入される。カード８００が収容部１２内に収容されると、カード８００の第１電極８１０（図７参照）はコンタクト３００の接点部３８０と夫々接触し、第２電極８２０（図７参照）は第２コンタクト４００の接点部４８０と夫々接触する。即ち、カード８００は、コネクタ１０と電気的に接続される。このとき、カムピン６３０の前端部は、カム溝６１２内の所定位置に維持される。このため、カード８００は、収容部１２内に収容され続ける。
【００４１】
カード８００がコネクタ１０に挿入されて収容部１２内に収容されているとき、カード８００を後方に向けて一時的に押圧すると、スライダ６１０がカード８００と共に後方に少しスライドする。このため、カムピン６３０の後端部がカム溝６１２内の所定位置から離れて、カム溝６１２内を移動可能になる。カード８００の押圧を解除すると、スライダ６１０がコイルバネ６２０の押圧によって前方にスライドしてカード８００を排出する。
【００４２】
以下、上述のように構成されたコネクタ１０について、コンタクト３００の構造及び機能を中心に更に詳しく説明する。
【００４３】
図９乃至図１２に示されるように、コンタクト３００のバネ部３３０は、曲げ部３４０と、誘い部３６０とを有している。
【００４４】
図４に示されるように、曲げ部３４０は、被保持部３２０から前方に向かってＸＹ平面と平行に延びた後、上方に（＋Ｚ方向に）傾斜しつつ前方に延びている。曲げ部３４０の大部分は、Ｘ方向において被保持部３２０と接点部３８０との間に位置している。但し、曲げ部３４０の前端部は、接点部３８０の前方に位置しており、Ｚ方向において接点部３８０の下方に位置している。曲げ部３４０はこのように構成されているため、カード８００の第１電極８１０（図７参照）は、接点部３８０を除きバネ部３３０と接触しない。即ち、バネ部３３０は、接点部３８０のみにおいて第１電極８１０と接触するため、接点部３８０は、安定した接触圧を有する。更に、このように構成された曲げ部３４０により、バネ部３３０のバネ長をより長くすることができる。
【００４５】
図４及び図５に示されるように、誘い部３６０は、Ｘ方向において接点部３８０の前方に位置している。カード８００がコネクタ１０に挿入されたとき、カード８００の端部は、誘い部３６０と突き当たる。誘い部３６０は、下方に（−Ｚ方向に）傾斜しつつ前方に延びている。更に、コンタクト３００は、被保持部３２０のみによってハウジング２００に保持されており、誘い部３６０は、Ｚ方向に移動可能である。このように構成された誘い部３６０は、カード８００と突き当たると下方に移動し、これにより誘い部３６０（コンタクト３００）の座屈が防止される。
【００４６】
特に、本実施の形態によれば、コネクタ１０が回路基板７００に搭載されたとき、誘い部３６０は、回路基板７００の切欠き７１０の上方に位置している（図４参照）。コネクタ１０が回路基板７００に取り付けられた取付済み状態においてカード８００がコネクタ１０に挿入されたとき、誘い部３６０の大部分（即ち、一部）は、切欠き７１０の外部から内部に移動する（図５参照）。
【００４７】
前述したように、カード８００の＋Ｘ側の端（後端）から第１電極８１０までの距離（Ｄ０）は、micro SIMカード（カード８００Ｘ）と比べても小さい（図７参照）。このため、コネクタ１０を小型化するためには、接点部３８０のＸ方向における位置を、収容部１２の開口に近づける必要がある。このとき、誘い部３６０が回路基板７００の上面７０２の上方に位置していると、誘い部３６０が下方に移動したときに上面７０２と接触し、接点部３８０の接触圧が不安定になるおそれがある。誘い部３６０と上面７０２との接触を防ぐためには、接点部３８０が収容部１２の開口に近づくにつれて、誘い部３６０の長さを短くする必要がある。即ち、誘い部３６０を十分に長くすることができない。一方、本実施の形態によれば、誘い部３６０が移動するための空間を、回路基板７００の上面７０２の下方にまで広げることができる。このため、コネクタ１０を小型化しつつ、コンタクト３００に、十分な長さを有する誘い部３６０を設けることができる。更に、誘い部３６０の長さを長くすることで、バネ部３３０全体の長さを長くし、これによりバネ部３３０を、より弾性変形し易くすることができる。
【００４８】
特に、本実施の形態によるコネクタ１０は、プッシュプッシュ機構６００（図８参照）によってカード８００を排出する。カード８００を排出する際には、カード８００を後方に移動させる必要がある。カード８００の後方への移動操作を可能にするため、カード８００がコネクタ１０の収容部１２に収容されているとき、カード８００の＋Ｘ側の端は、収容部１２の開口から前方に突出する（図８における２点鎖線の輪郭参照）。即ち、カード８００の第１電極８１０（図７参照）は、カード８００の突出量だけ収容部１２の開口に近づく。このため、接点部３８０を、カード８００の収容部１２の開口に近づける必要がある。以上の説明から理解されるように、本発明は、プッシュプッシュ機構６００を有するコネクタ１０に対して特に効果的である。但し、本発明は、プッシュプッシュ機構６００を有さないコネクタにも適用可能である。
【００４９】
図１、図２及び図４に示されるように、取付済み状態において、ホールドダウン５１０の下端（所定部位）５１２並びにハウジング２００の下端（所定部位）２４０及び第１保持部２１０の下端（所定部位）２１２は、Ｚ方向において、回路基板７００の上面７０２と同じ位置にある。従って、誘い部３６０は、上面７０２の下方に移動するとき、下端５１２，下端２４０及び下端２１２の下方に移動する。詳しくは、誘い部３６０は、取付済み状態において、コネクタ１０及び回路基板７００のいずれの部位とも接触することなく下方に移動し、誘い部３６０の少なくとも一部は、Ｚ方向において所定部位５１２，２４０及び２１２の下方（即ち、上面７０２の下方）に位置する。誘い部３６０がこのように構成されている限り、回路基板７００には切欠き７１０が設けられていなくてもよい。例えば、コネクタ１０を、誘い部３６０の前端が回路基板７００の前端７０４の前方に位置するようにして、回路基板７００に取り付けてもよい。但し、このように構成した場合、カバー５００の前端とホールドダウン５１０との間の距離が大きくなり、コネクタ１０が煽られ易くなる。従って、コネクタ１０を回路基板７００に、より強固に固定するためには、本実施の形態のように構成することが好ましい。
【００５０】
本実施の形態によれば、ホールドダウン５１０の下端５１２，ハウジング２００の下端２４０及び第１保持部２１０の下端２１２の夫々が、所定部位として回路基板７００の上面７０２と同じ位置に位置するように構成されている。但し、下端５１２，２４０及び２１２の少なくとも１つが所定部位として構成されていればよい。
【００５１】
図２、図４及び図５に示されるように、本実施の形態によるハウジング２００は、保護部２３０を有している。保護部２３０は、誘い部３６０の前方に位置している。詳しくは、カード８００がコネクタ１０に挿入されていないとき、保護部２３０の一部は、Ｘ方向において誘い部３６０の前端の前方に位置しており、且つ、Ｚ方向において誘い部３６０の前端と同じ位置に位置している。また、カード８００がコネクタ１０に挿入されていないとき、保護部２３０の上端（＋Ｚ側の端）は、Ｚ方向において誘い部３６０の前端と概ね同じ位置に位置している。詳しくは、本実施の形態による保護部２３０の上端は、誘い部３６０の前端よりも少し上方に位置している。本実施の形態によるコネクタ１０は、このように構成された保護部２３０を備えているため、カード８００をコネクタ１０に挿入する際、カード８００が誘い部３６０の前端に突き当たって誘い部３６０を座屈させたり、バネ部３３０を上方に撓ませたりすることを防止することができる。
【００５２】
本実施の形態による保護部２３０は、ハウジング２００の一部である。但し、保護部２３０は、ハウジング２００と別の部材であってもよい。本実施の形態による保護部２３０は、金属製の補強部材６８０によって補強されている。但し、保護部２３０が十分な強度を有している限り、補強部材６８０は設けられていなくてもよい。本実施の形態による補強部材６８０は、Ｙ方向において保護部２３０の一方の端部近傍から他方の端部近傍まで直線的に延びている（図２参照）。但し、保護部２３０が十分な強度を有している限り、補強部材６８０は、これと異なるように設けられていてもよい。更に、補強部材６８０は、金属製でなくてもよい。
【００５３】
図９乃至図１２に示されるように、本実施の形態によるコンタクト３００は、梁部３７０を有している。コンタクト３００の誘い部３６０は、２つの外側部３６２と、中間部（梁支持部）３６８とを有している。外側部３６２は、Ｙ方向における誘い部３６０の両側に夫々位置している。梁支持部３６８は、Ｙ方向における誘い部３６０の中間部に位置しており、外側部３６２をＹ方向に連結している。梁部３７０は、梁支持部３６８に片持ち梁状に支持されている。詳しくは、梁部３７０は、上方に突出するように湾曲しつつ梁支持部３６８から後方に延びている。本実施の形態による接点部３８０は、梁部３７０に設けられている。詳しくは、接点部３８０は、梁部３７０のうち上方に突出した部位の上端に位置している。また、梁部３７０の弾性変形量は小さいため（図４及び図５参照）、接点部３８０の位置が明確である。
【００５４】
図１１に示されるように、コンタクト３００のバネ部３３０は、上述のように構成された梁部３７０を有しているため、被保持部３２０の前端から接点部３８０までのバネとして機能する部位の長さ（バネ長）を長くすることができる。より具体的には、本実施の形態によれば、誘い部３６０が殆ど弾性変形しないにも係らず、ばね経路ＰＳの長さ（バネ長）は、被保持部３２０の前端から接点部３８０までのＸ方向における距離よりも長い。更に、接点部３８０が被保持部３２０に近いため、バネ部３３０がＹ方向の力を受けた場合でも、接点部３８０がＹ方向に大きく移動しない。
【００５５】
図９、図１１及び図１２に示されるように、本実施の形態によるコンタクト３００のバネ部３３０は、くびれ部３５０を有している。本実施の形態によるくびれ部３５０は、曲げ部３４０に形成されている。コンタクト３００は、くびれ部３５０においてくびれている。詳しくは、Ｙ方向におけるコンタクト３００のサイズ（幅）は、くびれ部３５０の前方及び後方の夫々からくびれ部３５０に近づくにつれて小さくなっている。換言すれば、バネ部３３０の後部（−Ｘ側の部位）は、被保持部３２０からくびれ部３５０に向かって細くなっており、バネ部３３０の前部（＋Ｘ側の部位）は、くびれ部３５０から誘い部３６０の前端に向かって広くなっている。
【００５６】
図８から理解されるように、バネ部３３０の後部は、上述のように構成されているため、誘い部３６０が移動した際に、被保持部３２０とバネ部３３０との境界部分の応力を分散させ、コンタクト３００の破損を防止することができる。更に、バネ部３３０のバネ性を維持したまま、バネ部３３０の長さを比較的短くすることができる。即ち、被保持部３２０の前端から誘い部３６０の前端までのＸ方向におけるバネ部３３０の全長を短くすることができる（図１１及び図１２参照）。
【００５７】
バネ部３３０の前部は、上述のように構成されているため、カード８００がコネクタ１０に対して斜めに傾いた状態で挿入された場合にも、カード８００の端部は、誘い部３６０の上を滑らかにスライドすることができる。即ち、誘い部３６０がカード８００に押されてＹ方向に大きく移動することを防止することができる。更に、誘い部３６０の前端の幅が広いため、誘い部３６０は、Ｙ方向の力に強い。即ち、本実施の形態によるコンタクト３００は、Ｙ方向における高い剛性を有している。
【００５８】
以上の説明から理解されるように、バネ部３３０にくびれ部３５０を設けることで、比較的短く、且つ、カード８００の斜め挿入に対して、より適したコンタクト３００を得ることができる。
【００５９】
以下に説明するように、本実施の形態によるコネクタ１０は、様々に変形することが可能である。
【００６０】
図１３及び図１４に示されるように、変形例によるコネクタ１０Ａは、３つのコンタクト３００（図２参照）に代えて、１つの第１コンタクト（コンタクト）３００Ａと、１つのコンタクト３００と、１つの第１コンタクト（コンタクト）３００Ｂとを備えている。コンタクト３００Ａ，コンタクト３００及びコンタクト３００Ｂは、コネクタ１０のコンタクト３００と同様に、ハウジング２００の第１保持部２１０によって夫々保持されている（図２参照）。コンタクト３００Ａ，コンタクト３００及びコンタクト３００Ｂは、Ｙ方向に並ぶコンタクト列を構成している。コネクタ１０Ａは、このコンタクト列を除き、コネクタ１０と同じ構造を有している。
【００６１】
コンタクト３００Ａは、コンタクト列の−Ｙ側の端に位置しており、コンタクト３００Ｂは、コンタクト列の＋Ｙ側の端に位置している。コンタクト３００は、コンタクト列の中間部に位置している。コンタクト３００Ａは、バネ部３３０Ａの誘い部３６０Ａ及び梁部３７０Ａを除き、コンタクト３００と同じ構造を有している。コンタクト３００Ｂも、バネ部３３０Ｂの誘い部３６０Ｂ及び梁部３７０Ｂを除き、コンタクト３００と同じ構造を有している。
【００６２】
コンタクト３００Ａの誘い部３６０Ａは、２つの外側部３６２Ａと、中間部（梁支持部）３６８Ａとを有している。外側部３６２Ａは、Ｙ方向における誘い部３６０Ａの両側に夫々位置している。梁支持部３６８Ａは、Ｙ方向における誘い部３６０Ａの中間部に位置しており、外側部３６２ＡをＹ方向に連結している。梁部３７０Ａは、梁支持部３６８Ａに片持ち梁状に支持されて、梁支持部３６８Ａから湾曲しつつ後方に延びている。接点部３８０は、コンタクト３００と同様に、梁部３７０Ａに設けられている。
【００６３】
同様に、コンタクト３００Ｂの誘い部３６０Ｂは、２つの外側部３６２Ｂと、中間部（梁支持部）３６８Ｂとを有している。外側部３６２Ｂは、Ｙ方向における誘い部３６０Ｂの両側に夫々位置している。梁支持部３６８Ｂは、Ｙ方向における誘い部３６０Ｂの中間部に位置しており、外側部３６２ＢをＹ方向に連結している。梁部３７０Ｂは、梁支持部３６８Ｂに片持ち梁状に支持されて、梁支持部３６８Ｂから湾曲しつつ後方に延びている。接点部３８０は、コンタクト３００と同様に、梁部３７０Ｂに設けられている。
【００６４】
コンタクト３００Ａの誘い部３６０Ａは、誘い部３６０ＡのＹ方向の中心に対して非対称な形状を有している。詳しくは、外側部３６２Ａは、第１外側部３６４Ａと第２外側部３６６Ａとから構成されている。第１外側部３６４Ａは、誘い部３６０ＡのＹ方向外側に位置しており、第２外側部３６６Ａは、誘い部３６０ＡのＹ方向内側に位置している。第１外側部３６４Ａが、Ｙ方向内側に向かって緩やかに傾いている一方、第２外側部３６６Ａは、Ｙ方向外側に向かって大きく傾いている。更に、梁部３７０Ａは、Ｙ方向外側に向かって傾いている。
【００６５】
同様に、コンタクト３００Ｂの誘い部３６０Ｂは、誘い部３６０ＢのＹ方向の中心に対して非対称な形状を有している。外側部３６２Ｂは、第１外側部３６４Ｂと第２外側部３６６Ｂとから構成されている。第１外側部３６４Ｂは、誘い部３６０ＢのＹ方向外側に位置しており、第２外側部３６６Ｂは、誘い部３６０ＢのＹ方向外側に位置している。第１外側部３６４Ｂが、Ｙ方向内側に向かって緩やかに傾いている一方、第２外側部３６６Ｂは、Ｙ方向外側に向かって大きく傾いている。更に、梁部３７０Ｂは、Ｙ方向外側に向かって傾いている。
【００６６】
本変形例によれば、カード８００の端部が突き当たり易い部位である第２外側部３６６Ａ及び第２外側部３６６ＢがＹ方向外側に向かって大きく傾いているため、本変形例によるコンタクト列は、カード８００の斜め挿入（図８参照）に対して、より適している。
【００６７】
以下に説明するように、本実施の形態によるコンタクト３００は、更に様々に変形することが可能である。
【００６８】
図１５及び図１９に示されるように、変形例による第１コンタクト（コンタクト）３００Ｃ及び第１コンタクト（コンタクト）３００Ｄの夫々は、コンタクト３００（図９参照）と同様に、被固定部３１０及び被保持部３２０を有している。被固定部３１０は、回路基板７００の固定部７２０に固定される（図２参照）。また、コンタクト３００Ｃ及びコンタクト３００Ｄの夫々は、被保持部３２０によってハウジング２００に保持されている（図２参照）。以下、コンタクト３００Ｃ及びコンタクト３００Ｄの被固定部３１０及び被保持部３２０以外の部位について説明する。
【００６９】
図１５乃至図１８に示されるように、変形例によるコンタクト３００Ｃは、バネ部３３０Ｃ及び接点部３８０に加えて、補強部３９０Ｃを有している。補強部３９０Ｃは、Ｚ方向と直交する四角いフレーム形状を有している。詳しくは、補強部３９０Ｃは、後方連結部３９２Ｃと、２つのアーム部３９４Ｃと、前方連結部３９６Ｃとを有している。後方連結部３９２Ｃ及び前方連結部３９６Ｃは、アーム部３９４ＣをＹ方向に連結している。後方連結部３９２Ｃは、被保持部３２０として機能する。バネ部３３０Ｃは、後方連結部３９２Ｃから前方に延びている。補強部３９０Ｃは、バネ部３３０ＣをＸＹ平面において囲んでいる。このように構成された補強部３９０Ｃは、コンタクト３００Ｃを補強し、バネ部３３０ＣのＺ方向と直交する方向における変形を防止する。
【００７０】
バネ部３３０Ｃは、Ｚ方向に弾性変形可能である。詳しくは、バネ部３３０Ｃは、曲げ部３４０Ｃと、くびれ部３５０Ｃと、誘い部３６０Ｃとを有している。
【００７１】
曲げ部３４０Ｃは、後方連結部３９２ＣからＸＹ平面と平行に少し延びた後、上方に傾斜しつつ前方に延びている。曲げ部３４０Ｃは、Ｘ方向において後方連結部３９２Ｃと接点部３８０との間に位置している。このように構成された曲げ部３４０Ｃは、曲げ部３４０（図４参照）と同様に機能する。
【００７２】
本実施の形態によるくびれ部３５０Ｃは、曲げ部３４０Ｃの前端部を含んでいる。くびれ部３５０Ｃは、湾曲しつつ前方に延びている。くびれ部３５０Ｃは、コンタクト３００のくびれ部３５０（図８参照）と同様に構成されている。詳しくは、Ｙ方向におけるコンタクト３００Ｃのサイズは、くびれ部３５０Ｃの前方及び後方の夫々から前記くびれ部３５０Ｃに近づくにつれて小さくなる。このように構成されたくびれ部３５０Ｃは、くびれ部３５０と同様に機能する。
【００７３】
誘い部３６０Ｃは、Ｘ方向において接点部３８０の前方に位置している。誘い部３６０Ｃは、下方に傾斜しつつ前方に延びている。誘い部３６０Ｃは、２つの外側部３６２Ｃと、中間部３６８Ｃとを有している。外側部３６２Ｃは、Ｙ方向における誘い部３６０Ｃの両側に夫々位置している。中間部３６８Ｃは、外側部３６２ＣをＹ方向に連結している。以上のように構成された誘い部３６０Ｃは、誘い部３６０（図４参照）と同様にコンタクト３００Ｃの座屈を防止する。特に、本実施の形態による中間部３６８ＣのＹ方向における両側部は、斜め後方に向かって延びている。また、外側部３６２Ｃも、斜め後方に向かって延びている。このため、カード８００がコネクタ１０に対して斜めに傾いた状態で挿入された場合にも（図８参照）、誘い部３６０Ｃがカード８００と突き当たってＹ方向に大きく移動することを、より確実に防止できる。
【００７４】
図１９乃至図２２に示されるように、他の変形例によるコンタクト３００Ｄは、バネ部３３０Ｄ及び接点部３８０に加えて、補強部３９０Ｄを有している。補強部３９０Ｄは、Ｚ方向と直交する四角いフレーム形状を有している。詳しくは、補強部３９０Ｄは、後方連結部３９２Ｄと、２つのアーム部３９４Ｄと、前方連結部（保護部）３９６Ｄとを有している。後方連結部３９２Ｄ及び前方連結部３９６Ｄは、アーム部３９４ＤをＹ方向に連結している。後方連結部３９２Ｄは、被保持部３２０として機能する。バネ部３３０Ｄは、後方連結部３９２Ｄから前方に延びている。補強部３９０Ｄは、バネ部３３０ＤをＸＹ平面において囲んでいる。このように構成された補強部３９０Ｄは、コンタクト３００Ｃの補強部３９０Ｃ（図１５参照）と同様に、コンタクト３００Ｄを補強する。
【００７５】
バネ部３３０Ｄは、Ｚ方向に弾性変形可能である。詳しくは、バネ部３３０Ｄは、２つの曲げ部３４０Ｄと、誘い部３６０Ｄと、梁部３７０Ｄとを有している。
【００７６】
曲げ部３４０Ｄは、Ｙ方向に並んでいる。曲げ部３４０Ｄのうち、後方連結部３９２Ｄと繋がっている部位の幅（即ち、Ｙ方向におけるサイズ）は広く、誘い部３６０Ｄと繋がっている部位の幅は狭い。曲げ部３４０Ｄは、後方連結部３９２ＤからＸＹ平面と平行に少し延びた後、上方に傾斜しつつ前方に延びている。曲げ部３４０Ｄの大部分は、Ｘ方向において後方連結部３９２Ｄと接点部３８０との間に位置しており、曲げ部３４０Ｄの前端部は、接点部３８０の前方に位置している。このように構成された曲げ部３４０Ｄは、曲げ部３４０（図４参照）と同様に機能する。
【００７７】
誘い部３６０Ｄは、Ｘ方向において接点部３８０の前方に位置している。誘い部３６０Ｄは、下方に傾斜しつつ前方に延びている。誘い部３６０Ｄは、２つの外側部３６２Ｄと、中間部（梁支持部）３６８Ｄとを有している。外側部３６２Ｄは、Ｙ方向における誘い部３６０Ｄの両側に夫々位置している。外側部３６２Ｄは、曲げ部３４０Ｄと夫々繋がっている。梁支持部３６８Ｄは、外側部３６２ＤをＹ方向に連結している。以上のように構成された誘い部３６０Ｄは、誘い部３６０（図４参照）と同様にコンタクト３００Ｄの座屈を防止する。
【００７８】
本実施の形態による前方連結部３９６Ｄは、コネクタ１０の保護部２３０（図４参照）と同様に、保護部として機能する。詳しくは、前方連結部３９６Ｄは、誘い部３６０Ｄの前方に位置している。カード８００がコネクタ１０に挿入されていないとき（図４参照）、前方連結部３９６Ｄの一部は、Ｘ方向において誘い部３６０Ｄの前端の前方に位置しており、且つ、Ｚ方向において誘い部３６０Ｄの前端と同じ位置に位置している。また、カード８００がコネクタ１０に挿入されていないとき、前方連結部３９６Ｄの上端は、Ｚ方向において誘い部３６０Ｄの前端と概ね同じ位置に位置している。詳しくは、前方連結部３９６Ｄの上端は、誘い部３６０Ｄの前端よりも少し上方に位置している。このように構成された前方連結部３９６Ｄは、保護部２３０と同様に、誘い部３６０Ｄの座屈を防止することができる。即ち、本実施の形態による保護部３９６Ｄは、コンタクト３００Ｄの一部である。
【００７９】
梁部３７０Ｄは、梁支持部３６８Ｄに片持ち梁状に支持されて、梁支持部３６８Ｄから湾曲しつつ後方に延びている。本実施の形態による接点部３８０は、梁部３７０Ｄに設けられている。即ち、接点部３８０は、Ｘ方向において後方連結部３９２Ｄの前方に位置している。詳しくは、接点部３８０は、梁部３７０Ｄのうち上方に向かって突出した部位の上端に位置している。このため、接点部３８０の位置が明確である。
【００８０】
コンタクト３００Ｄのバネ部３３０Ｄは、上述のように構成されているため、コンタクト３００のバネ部３３０（図１０参照）と同様に、バネ長を長くすることができる。更に、接点部３８０が後方連結部３９２Ｄに近いため、バネ部３３０と同様に、バネ部３３０ＤがＹ方向の力を受けた場合でも、接点部３８０がＹ方向に大きく移動しない。
【符号の説明】
【００８１】
１０，１０Ａ      コネクタ
１２              収容部
２００            ハウジング
２１０            第１保持部
２１２            所定部位（下端）
２２０            第２保持部
２３０            保護部
２４０            所定部位（下端）
３００，３００Ａ，３００Ｂ，３００Ｃ，３００Ｄ  第１コンタクト（コンタクト）
３１０                                          被固定部
３２０                                          被保持部
３３０，３３０Ａ，３３０Ｂ，３３０Ｃ，３３０Ｄ  バネ部
３４０，３４０Ｃ，３４０Ｄ                      曲げ部
３５０，３５０Ｃ                                くびれ部
３６０，３６０Ａ，３６０Ｂ，３６０Ｃ，３６０Ｄ  誘い部
３６２，３６２Ａ，３６２Ｂ，３６２Ｃ，３６２Ｄ  外側部
３６４Ａ，３６４Ｂ                              第１外側部
３６６Ａ，３６６Ｂ                              第２外側部
３６８，３６８Ａ，３６８Ｂ，３６８Ｄ            中間部（梁支持部）
３６８Ｃ                                        中間部
３７０，３７０Ａ，３７０Ｂ，３７０Ｄ            梁部
３８０                                          接点部
３９０Ｃ，３９０Ｄ                              補強部
３９２Ｃ，３９２Ｄ                              後方連結部
３９４Ｃ，３９４Ｄ                              アーム部
３９６Ｃ                                        前方連結部
３９６Ｄ                                        前方連結部（保護部）
４００            第２コンタクト
４１０            被固定部
４２０            被保持部
４３０            バネ部
４８０            接点部
５００            カバー
５１０            ホールドダウン
５１２            所定部位（下端）
５５０            側板
６００            プッシュプッシュ機構
６１０            スライダ
６１２            カム溝
６２０            コイルバネ
６３０            カムピン
６５０            検知スイッチ
６８０            補強部材
７００            対象物（回路基板）
７０２            上面
７０４            前端
７１０            切欠き
７２０            接続パッド（固定部）
８００，８００Ｘ  カード
８０２            上面
８０４，８０４Ｘ  下面
８１０，８１０Ｘ  第１電極
８２０，８２０Ｘ  第２電極
ＰＳ              ばね経路
【図１】
2015076130.tif 000003
【図２】
2015076130.tif 000004
【図３】
2015076130.tif 000005
【図４】
2015076130.tif 000006
【図５】
2015076130.tif 000007
【図６】
2015076130.tif 000008
【図７】
2015076130.tif 000009
【図８】
2015076130.tif 000010
【図９】
2015076130.tif 000011
【図１０】
2015076130.tif 000012
【図１１】
2015076130.tif 000013
【図１２】
2015076130.tif 000014
【図１３】
2015076130.tif 000015
【図１４】
2015076130.tif 000016
【図１５】
2015076130.tif 000017
【図１６】
2015076130.tif 000018
【図１７】
2015076130.tif 000019
【図１８】
2015076130.tif 000020
【図１９】
2015076130.tif 000021
【図２０】
2015076130.tif 000022
【図２１】
2015076130.tif 000023
【図２２】
2015076130.tif 000024
【図２３】
2015076130.tif 000025
【手続補正書】
【提出日】平成26年11月10日(2014.11.10)
【手続補正１】
【補正対象書類名】特許請求の範囲
【補正対象項目名】請求項１
【補正方法】変更
【補正の内容】
【請求項１】
上下方向における上面を有する対象物に取り付け可能であり、且つ、前記上下方向と直交する前後方向に沿って後方に向かって挿入されたカードと接続可能なコネクタであって、
前記コネクタは、前記コネクタが前記対象物に取り付けられたとき前記上下方向において前記上面と同じ位置にある所定部位を有しており、
前記コネクタは、ハウジングと、コンタクトとを備えており、
前記コンタクトは、被保持部と、バネ部とを有しており、
前記被保持部は、前記上下方向において前記所定部位の上方に位置するように前記ハウジングに保持されており、
前記バネ部は、接点部と、誘い部とを有しており、
前記接点部は、前記前後方向において前記被保持部の前方に位置しており、
前記誘い部は、前記前後方向において前記接点部の前方に位置しており、且つ、下方に傾斜しつつ前方に延びており、
前記接点部及び前記誘い部は、前記上下方向に移動可能であり、
前記カードが前記コネクタに挿入されたとき、前記接点部は、前記カードと接触し、前記誘い部は、前記コネクタのいずれの部位とも接触することなく下方に移動し、前記誘い部の少なくとも一部は、前記上下方向において前記所定部位の上方から下方に移動して前記所定部位の下方に位置し、
前記コネクタは、前記誘い部を有する前記コンタクトを除いて、前記上下方向において前記所定部位の上方から下方に移動するように構成された部位を備えていない
コネクタ。
【手続補正２】
【補正対象書類名】明細書
【補正対象項目名】００６５
【補正方法】変更
【補正の内容】
【００６５】
同様に、コンタクト３００Ｂの誘い部３６０Ｂは、誘い部３６０ＢのＹ方向の中心に対して非対称な形状を有している。外側部３６２Ｂは、第１外側部３６４Ｂと第２外側部３６６Ｂとから構成されている。第１外側部３６４Ｂは、誘い部３６０ＢのＹ方向外側に位置しており、第２外側部３６６Ｂは、誘い部３６０ＢのＹ方向内側に位置している。第１外側部３６４Ｂが、Ｙ方向内側に向かって緩やかに傾いている一方、第２外側部３６６Ｂは、Ｙ方向外側に向かって大きく傾いている。更に、梁部３７０Ｂは、Ｙ方向外側に向かって傾いている。
【手続補正３】
【補正対象書類名】明細書
【補正対象項目名】００７２
【補正方法】変更
【補正の内容】
【００７２】
本実施の形態によるくびれ部３５０Ｃは、曲げ部３４０Ｃの前端部を含んでいる。くびれ部３５０Ｃは、湾曲しつつ前方に延びている。くびれ部３５０Ｃは、コンタクト３００のくびれ部３５０（図８参照）と同様に構成されている。詳しくは、Ｙ方向におけるコンタクト３００Ｃのサイズは、くびれ部３５０Ｃの前方及び後方の夫々から、くびれ部３５０Ｃに近づくにつれて小さくなる。このように構成されたくびれ部３５０Ｃは、くびれ部３５０と同様に機能する。
【手続補正４】
【補正対象書類名】明細書
【補正対象項目名】００８０
【補正方法】変更
【補正の内容】
【００８０】
コンタクト３００Ｄのバネ部３３０Ｄは、上述のように構成されているため、コンタクト３００のバネ部３３０（図１１参照）と同様に、バネ長を長くすることができる。更に、接点部３８０が後方連結部３９２Ｄに近いため、バネ部３３０と同様に、バネ部３３０ＤがＹ方向の力を受けた場合でも、接点部３８０がＹ方向に大きく移動しない。